(57)【特許請求の範囲】
【請求項１】
管端防食コア７の管端部内面に挿入された円筒部内面全周に亘って設けられて防食コア７をその前記円筒部を管端部内面に圧接して固定する固定リング１０であって、
周方向一つ割りで、その一つ割りの一端１１は幅狭となった首部１１ａが形成されているとともにその首部１１ａより他端１３側の長さ方向に複数の孔１２が形成され、他端１３には、前記首部１１ａを介して一端１１が摺動自在に挿し込まれる固定リング１０の周方向に長い長孔１４が形成されているとともに前記一端１１の孔１２に挿し通される一端１１側に延びる係止片１５が設けられており、前記一端１１の幅は前記長孔１４の幅より広くて抜け止めされ、前記係止片１５は前記孔１２に挿し通されて折り返されることにより、固定リング１０の縮径防止機能が付与されることを特徴とする管端防食コアの固定リング。
【請求項２】
両端にリング拡径用孔１６がそれぞれ形成され、その両端の孔１６が合計で３個以上形成されていることを特徴とする請求項１に記載の管端防食コアの固定リング。
【請求項３】
管端防食コア７の管端部内面に挿入された円筒部内面全周に亘って請求項１又は２に記載の固定リング１０が圧接状態で嵌められ、その固定リング１０の両端１１、１３は重ねられて、その一端１１は首部１１ａを介して他端１３の長孔１４に挿し通されて抜け止めされており、他端１３の係止片１５は一端１１の孔１２に挿し通されて折り返され、その折り返しにより固定リング１０の縮径防止機能が付与されていることを特徴とする管端防食コアの固定構造。
【発明の詳細な説明】
【０００１】
【発明の属する技術分野】
この発明は、パイプラインを構成する上で必要となる乱尺管（切管）に供するもので、特に水道などに用いられる金属管切管端面の防食コアの固定リング及びその固定構造に関するものである。
【０００２】
【従来の技術】
従来、ダクタイル鋳鉄管を地中に埋設して管路を布設する際、管全体に亘って塗装やライニングによって防食を行い、図１５に示すように、先行する管１の受口１ａに後続管２の挿し口２ａを挿入して継合されるのが一般的である。このとき、同図に示すように、耐震性を付与したＮＳ形継手にあっては、受口１ａ内面にロックリング３を設け、同図鎖線のごとく、このロックリング３を突起４が乗り越えて挿し口２ａを挿入する。図中、５はパッキング、６はライニングである。
【０００３】
この管路の布設において、常に定寸法な管による継合だけでは留まらず、工事現場で所定の長さになるように管２を切断して継合しなければならない場合がある。このように途中で管２を切断すると、切断面となる管端面は塗装が剥離して地肌が露出するために、防食機能が損なわれ赤水などの発生を招くことになる。そのため、一般には、切管後の端面には防食塗装を再度塗布して防食を行うことが行われている。しかし、切管後の端面に防食塗料を塗布して再度防食を行う場合、寒冷時においては乾燥に時間がかかり、また、切替工事などの流水が完全に止まらない個所では、塗布しにくい等の作業しづらい、といった問題がある。
【０００４】
このため、切管後の端面に防食用塗料を塗布する以外の方法として、図１６に示すように、防食コア７を使用して露出した部分をシールする方法がある。この防食コア７はゴムなどの弾性体で構成されているので、その弾性によって保持されるが、より確実に固定する方法として特開平７−１３９６８６号公報等に示すように、周方向一つ割の開き勝手の固定リング１０を溝８に嵌めて防食コア７を内面から拡径力によって固定させるものがある。
【０００５】
【発明が解決しようとする課題】
しかし、この固定リング１０は開き勝手の拡径力で防食コア７を固定しているため、長期使用すると、固定リング１０の材料の経年劣化などにより拡径力の減衰が生じ、防食機能を維持し続けるには限度があって、信頼性が低いという問題がある。
【０００６】
また、管を埋設する際には、土かぶりによる外圧、路面荷重による土圧、内圧などの使用条件、地形、地質、交通量等から管布設方法として適切に選定される開削工法、推進工法、シールド工法等の布設工法、耐用年数等を考慮して、技術面や経済面を検討して使用管種を選択することになる。
【０００７】
このとき、選択される管種によって、例えば、１種管、３種管のように同じ呼び径であっても、管厚差及び製造時の管厚公差により管の内周長が変わることになる。この管内周長が変っても、同じ固定リング１０で対応できることが好ましい。
【０００８】
この発明は、拡径力の経年劣化を極力抑制するとともに、管内周長の変化に対応し易くすることを課題とする。
【０００９】
【課題を解決するための手段】
上記課題を解決するために、この発明は、まず、固定リングの一つ割りの両端間に縮径防止機能を付与したのである。この機能があれば、固定リングが開き勝手であると否とにかかわらず、従来のものに比べれば、経年による拡径力の減衰度合はゆるやかとなる。
【００１０】
つぎに、この発明は、その縮径防止機能の対応幅を広くして、管内周長の変化に対応し得るようにしたのである。
【００１１】
【発明の実施の形態】
この発明の固定リングに係る実施形態としては、管端防食コアの管端部内面に挿入された円筒部内面全周に亘って設けられて、防食コアをその前記円筒部を管端部内面に圧接して固定する固定リングにおいて、周方向一つ割りで、その一端に他端の係止片が挿し通されて、その係止片は折り返される構成を採用し得る。この構成では、係止片の折り返しにより、その折曲部と挿し通し孔の縁が係止して固定リングの縮径防止機能が果たされる。
【００１２】
この構成において、固定リングの一端は幅狭となった首部が形成され、その首部を介して他端の固定リングの周方向に長い長孔にその一端が摺動自在に挿し通され、その一端の幅は前記長孔の幅より広くて抜け止めされる構成とすれば、その一端の抜け止め状態の前記長孔内の移動によって、固定リングの拡縮径が円滑に調整される。すなわち、その移動がガイドとなる。
【００１３】
さらに、上記係止片の挿通孔を複数個形成すれば、その孔を適宜に選択することにより、管内周長の変化に対応し易くなる。また、拡径用孔を形成した場合にはその孔も計３個以上とすれば、その拡径作用において、その３個以上の孔の中から適宜に２つを選ぶことにより、管内周長の変化に対応し易くなる。
【００１４】
このように構成される固定リングは、管端防食コアの管端部内面に挿入された円筒部内面全周に亘って嵌められ、その両端は重ねられて、一端は首部を介して他端の長孔に挿し通されて抜け止めされ、他端の係止片は一端の孔に挿し通されて拡径の後、折り返されて取付けられる。
【００１５】
【実施例】
図５はこの発明の縮径防止機能を兼ね備えた固定リングを示す正面図であり、この固定リング１０は従来から用いられている一つ割の形態で、Ａ側には切欠のある先端１１と孔１２を持ち、Ｂ側の他端１３には先端１１の首部１１ａとかけあわされる長穴１４と孔１２に差し込む係止片１５が形成されている。１６はスナップリングプライヤー２０などを用いて固定リング１０を拡張させて管端防食コア７に嵌め込むために設けた拡径用孔であり、なくても取付けに支障はない。固定リング１０の材質はばね性のステンレス材が望ましいが、ばね性がない材料などと特に限定しない。
【００１６】
図４、図６はこの固定リング１０の取付け手順を示す斜視図であり、防食コア７はごく一般的に使用されているもので、内面に固定リング１０を嵌め込む突起（突条）９が設けられている。この突起９の数は任意であり、その上面は、固定リング１０側から防食コア７内面に向って下り勾配のテーパ面９ａとなっており、このテーパ面９ａによって、固定リング１０の嵌め込みをスムースに行うことができるとともに、水等の流れもスムースに案内される。このとき、この突起９の高さ及びテーパ面９ａの傾斜角度は、固定リング１０の位置決め（抜け止め）及び嵌め込みをスムースにし得るかぎりにおいて任意であるが、高さは、流通性から固定リング１０の厚みと同一か、又は低くすることが好ましいが、外れることも考慮すれば、固定リング１０の厚みより高くてもよい。
【００１７】
この固定リング１０による防食コア７の固定は、まず、図６（ａ）のごとく固定リング１０を円状にし、つぎに、同図（ｂ）のごとく、先端１１を長穴１４にかけあわせた後、孔１２に係止片１５を差し込んで、このリング１０の外径をコア７の内径より小さくし、図４の鎖線から実線のごとく、固定リング１０をコア７内面の突起９間に納め、スナップリングプライヤー２０や万力などの簡単な治具を使用してコア７内面で固定リング１０を拡張させ（図６（ｂ）参照）、孔１２からのぞいている係止片１５を同図及び図６（ｃ）のごとく折り曲げ、固定リング１０が円周方向に縮まないように固定する。
【００１８】
このとき、図７乃至図９に示すように、同一外径の管であっても、その管厚ｔによって内周長は異なるため、その内周長に応じて、拡径用孔１６及び係止片１５の挿通用孔１２を適宜に選択する。例えば、図７に示す管厚ｔが大のものにあっては、最外端の孔１６、１６でもって拡径し、係止片１５は外側の孔１２に挿通して折り曲げる（折り曲げ線ａ）。図８に示す管厚ｔが標準、図９に示す管厚ｔが小のものにあっては、内側の孔１６、１６でもって拡径し、係止片１５は内側の孔１２（図８）、又は孔１２に代えて拡径用孔１６（図９）に挿通して、折り曲げ点ａの位置で調整する。図９において、係止片１５を拡径用孔１６に挿通したのは、挿通用孔１２に挿通して折り曲げると、係止片１５が孔１２から長く出過ぎて支障があるからである。この実施例では、図１０（ａ）に最小内径時、同（ｂ）に最大内径時のそれぞれの態様を示し、これから、この固定リング１０の調整幅Ｌを得ることができる。
【００１９】
このようにして固定リング１０をコア７内面に装着することにより水流によるコア７の脱落を防止することに加えて、先端１１を長穴１４にかけあわせたことで、長穴１４の長さ分、管内径の円周寸法公差を吸収できてリング１０をコア７に円滑に固定できるとともに、係止片１５により縮径を長期にわたり防止してコア７を管端に強固に固定して赤水を防止する。
【００２０】
図１１には、挿通用孔１２及び拡径用孔１６の他の態様を示し、（ａ）は一端側の拡径用孔１６を一つとしたもの、（ｂ）は首部１１ａより内側の挿通用孔１２と拡径用孔１６を兼用したもの、（ｃ）は同じ兼用であるが、角孔１２、１６としたものである。このように、挿通用孔１２と拡径用孔１６の数、位置、形状は作用をなし得るかぎりにおいて任意である。
【００２１】
図１２には、肉抜き１７を形成したものであり、この肉抜き１７の形状は、長孔（同図（ａ））、円孔（同図（ｂ））、角孔などと任意である。この肉抜き１７は、固定リング１０を曲げ易くするためであり、このため、その程度において、数、位置を設定する。曲げ易くなれば、内周長が短くなると（小口径管の場合）、有利である。
【００２２】
長孔１４は、強度などにおいて支障がないかぎり、長くして内周長の変化に対応することが好ましいが、複数の長孔で構成することもできる。但し、この場合、孔間は、一端１１が動き得ないため、調整が不能となる。
【００２３】
因みに、最小周長に合うように、係止片挿通用孔１２及び係止片１５の位置・長さを設定すると、最大周長の際に折り曲げた部分が長く出過ぎ、最大周長に合うように設定すると、係止片１５が孔１２に届かず折り曲げることができない場合が生じる。このとき、両方に対応できるようにするには、係止片１５を長くするか、挿通用孔１２を長くすればよいが、最大周長の際に折り曲げた部分が長く出過ぎて、管内に突出した状態となり、ポリピグ通過時に支障があるなどの問題が生じる。挿通用孔１２を複数個設ければ、固定リング１０の縮径度合いに応じて（管種に応じて）最適な係止が可能となり、その問題は解消する。
【００２４】
なお、拡径用孔１６は、図１３に示すように、その周囲に立ち上がり壁１６ａを形成すると、スナップリングプライヤー２０等の治具によるリング１０の拡縮径時、その壁１６ａが補強となって治具２０がその孔１６から外れにくく、その作用がスムースとなる。その壁１６ａは、孔１６の形成時に切り起こしによって形成すればよく、同図（ｂ）のように傾斜壁とすれば、治具２０の先端部が入り易い等の利点がある。
【００２５】
また、拡径用孔１６に代えて係止突起とすることもできる。このため、請求の範囲でいう「拡径用孔１６」には「係止突起」も含む。例えば、図１４（ａ）乃至（ｃ）に示すように、弧状に膨出させた突起１８を採用することができ、この突起１８は、同図（ｄ）のごとく、治具２０と係止する。このとき、同図（ｃ）のように、突起１８に治具２０の係止孔１８ａを形成するとよい。
【００２６】
この発明に係る固定リング１０は図１６のように溝８に嵌める態様も採用し得ることは言うまでもない。
【００２７】
【発明の効果】
この発明は、以上のように固定リングに縮径防止機能を付与したので、固定リングの拡径力の経年劣化も抑制され、このため、防水コアの管端への十分な密着度も長年に亘って維持され、長期間にわたり、赤水を防止することができる。
【００２８】
また、係止片の挿通孔を複数にしたので、管内周長の変化に対応し易い。このとき、拡径用孔を複数個設ければ、拡径作用において、管内周長の変化に対応し易い。
【図面の簡単な説明】
【図１】一実施例の要部斜視図
【図２】（ａ）は図１のＡ−Ａ線断面図、（ｂ）は同Ｂ−Ｂ線断面図
【図３】同実施例の防食コアの取付説明図
【図４】同実施例の固定リングの取付け作用図
【図５】同固定リングの一実施例の平面図
【図６】同固定リングの取付作用図
【図７】同固定リングの取付作用図
【図８】同固定リングの取付作用図
【図９】同固定リングの取付作用図
【図１０】同固定リングの取付作用図
【図１１】他の固定リングの各実施例の平面図
【図１２】他の固定リングの各実施例の平面図
【図１３】他の各実施例の要部断面図
【図１４】他の実施例の要部斜視図又は断面図
【図１５】管継手部の要部断面図
【図１６】管挿し口の要部拡大断面図
【符号の説明】
１、２  管
１ａ  受口
２ａ  挿し口
７  防食コア
９  固定リング位置決め突起
１０  防食コア用固定リング
１１  固定リングの一つ割りの一端（先端）
１１ａ  一端首部
１２  係止片挿通用孔
１３  固定リングの一つ割りの他端
１４  長孔（長穴）
１５  係止片
１６  拡径用孔
１８  係止突起
２０  スナップリングプライヤー（拡径治具）
【図１】
0003681339.tif 000002
【図２】
0003681339.tif 000003
【図３】
0003681339.tif 000004
【図４】
0003681339.tif 000005
【図５】
0003681339.tif 000006
【図６】
0003681339.tif 000007
【図７】
0003681339.tif 000008
【図８】
0003681339.tif 000009
【図９】
0003681339.tif 000010
【図１０】
0003681339.tif 000011
【図１１】
0003681339.tif 000012
【図１２】
0003681339.tif 000013
【図１３】
0003681339.tif 000014
【図１４】
0003681339.tif 000015
【図１５】
0003681339.tif 000016
【図１６】
0003681339.tif 000017